(57)【要約】【課題】  従来のインテリジェントキーシステムでは飲酒運転を防止することはできないという問題点があり、インテリジェントキーと連動して、飲酒運転を効果的に防止することができるキーシステムを提供する。【解決手段】  インテリジェントキー１ａは、アルコール検知器及び表示部（ＬＥＤ）を備え、インテリジェントキーユニット２からのリクエスト信号を受信した際に、アルコール検知器でアルコールが検知されなければキーＩＤを送信し、アルコールが検知された場合にはキーＩＤを送信せず、アルコールが検知された旨をＬＥＤで表示するキーシステムである。【選択図】        図１
2008155848.tif 000002
【特許請求の範囲】
【請求項１】
自動車のエンジンの始動の指示としてキーＩＤを送信するインテリジェントキーと、
前記キーＩＤを受信すると、内部に記憶するキーＩＤと照合して一致した場合に自動車のエンジンの始動を制御するインテリジェントキーユニットとを有するキーシステムであって、
前記インテリジェントキーは、アルコール検知器を備え、前記アルコール検知器でアルコールが検知されない場合には前記キーＩＤを送信し、アルコールが検知された場合には前記キーＩＤを送信しないことを特徴とするキーシステム。
【請求項２】
インテリジェントキーは、表示部を備え、アルコール検知器でアルコールが検知された場合に前記表示部に表示することを特徴とする請求項１記載のキーシステム。
【請求項３】
自動車のエンジンの始動の指示としてキーＩＤを送信するインテリジェントキーと、
前記キーＩＤを受信し、内部に記憶するキーＩＤと照合して一致した場合に自動車のエンジンの始動を制御するインテリジェントキーユニットとを有するキーシステムであって、
前記インテリジェントキーは、アルコール検知器を備え、検知結果の検知情報を前記インテリジェントキーユニットに送信し、
前記インテリジェントキーユニットは、キーＩＤを照合して一致した場合でも、アルコールが検知された検知情報を受信した場合には、前記エンジンの始動を行わないよう制御することを特徴とするキーシステム。
【請求項４】
インテリジェントキーユニットは、エンジンの始動を行わない制御として、ステアリングロックを解除する解除信号を出力しないよう制御することを特徴とする請求項３記載のキーシステム。
【請求項５】
インテリジェントキーユニットは、キーＩＤの照合を行い、一致した場合に運転者にアルコール検知を促す表示又は／及び音声出力を行い、アルコールが検知された検知情報を受信した場合には、アルコールが検出されて運転できない旨の表示又は／及び音声出力を行うことを特徴とする請求項３又は４記載のキーシステム。
【請求項６】
キーＩＤのリクエスト信号を受信すると、自動車のエンジンの始動の指示としてキーＩＤを送信するインテリジェントキーと、
前記リクエスト信号の送信を制御すると共に、前記キーＩＤを受信すると、内部に記憶するキーＩＤと照合して一致した場合に自動車のエンジンの始動を制御するインテリジェントキーユニットとを有するキーシステムであって、
前記インテリジェントキーユニットは、アルコール検知器を備え、特定の操作が為されると、運転者にアルコール検知を促す表示又は／及び音声出力を行い、アルコールが検知された場合には、前記リクエスト信号を送信しないよう制御することを特徴とするキーシステム。
【請求項７】
インテリジェントキーユニットは、アルコールが検知された場合には、アルコールが検出されて運転できない旨の表示又は／及び音声出力を行うことを特徴とする請求項６記載のキーシステム。
【発明の詳細な説明】
【技術分野】
【０００１】
本発明は、微弱無線モジュールのインテリジェントキーを利用した自動車のキーシステムに係り、特にインテリジェントキーと連動して飲酒運転を防止することができるキーシステムに関する。
【背景技術】
【０００２】
［先行技術の説明：図７］
微弱無線モジュールを利用した自動車のキーシステムには、インテリジェントキー又はスマートキーと呼ばれるものがあり、これらを用いたキーシステムにおけるエンジン始動時の動作について図７を用いて説明する。図７は、従来のキーシステムの構成及びエンジン始動時の動作を示す説明図である。
図７に示すように、従来のキーシステムは、ユーザが携帯するインテリジェントキー１と、車に搭載されたインテリジェントキーユニット２と、室内アンテナ３と、プッシュスイッチ（プッシュＳＷ）４１と、キースイッチ（キーＳＷ）４２と、ステアリングロックユニット（図では「ステアリングロックユニット」）４３とＢＣＭ（Body Control Module）５と、コンビネーションメータコントロールユニット（図では「コンビネーションメータコントロール」）６と、IPDM E/R（Intelligent Power Distribution Module Engine Room）７とスターターモーター８とから構成されている。
また、IPDM E/R７には、ＣＰＵ７１とスターターリレー７２とが設けられている。
【０００３】
上記構成におけるエンジン始動時の動作について説明する。
まず、ユーザがフットブレーキを踏み、イグニッションノブをオンにすると、インテリジェントキーユニット２が、室内アンテナ３を起動してリクエスト信号を送信する。
【０００４】
インテリジェントキー１は、リクエスト信号を受信すると、内部に記憶しているＩＤを送信する。
インテリジェントキーユニット２は、インテリジェントキー１から送信されたＩＤを受信して照合し、登録されているＩＤと一致した場合には認証ＯＫとしてステアリングロックコントロールユニット４３にステアリングロック解除信号を送信する。
【０００５】
ステアリングロックコントロールユニット４３は、ステアリングロックを解除する。
インテリジェントキーユニット２は、コンビネーションメータコントロールユニットへＫＥＹ警告灯（緑）点灯信号を送信する。
そして、ＢＣＭ５は、エンジン始動許可信号を受信して、IPDM E/R７へスタート信号を送信する。
このようにして、従来のキーユニットにおけるエンジン始動時の動作が行われるようになっている。
【０００６】
［飲酒運転］
また、飲酒運転による交通事故が後を絶たず、その対策が急務となっている。
飲酒運転を防ぐための各種技術が考案されている。
【０００７】
［先行技術文献］
尚、飲酒運転防止に関する先行技術としては、特開２０００−２１９０９２号公報（特許文献１）があり、特開２００３−１４６１０７号公報（特許文献２）、特開２００４−１６９５２４号公報（特許文献３）、特開平８−１５０８５３号公報（特許文献４）がある。
【０００８】
特許文献１には、車載コンピュータシステムのユーザインタフェースに、ユーザの呼気を検査する呼気検査器を備え、ユーザの呼気に含まれるアルコールの存在をチェックして、車載システムのロックを解除することが記載されている。
【０００９】
しかしながら、特許文献１のシステムは、車載された親機側に呼気検査機を備えたものであり、また、呼気検査をスマートキーによるユーザの認証に関連づけて行うものではない。
【００１０】
また、特許文献２には、撮像された指の画像を入力して処理し、指の血管パターンの特徴と、登録されている権利者の血管パターンの画像の特徴とを比較照合し、相関が閾値より高い時に正当な権利者と認め、エンジンの始動、ドアの施解錠などのセキュリティ制御を行うと共に、撮像と共に取得される指の生体情報を解析し、計測結果に応じて通知や警告・機構制御を行うことが記載されている。
【００１１】
しかしながら、特許文献２は、生体情報を得るために、例えば、脈波を光学的に取得する方法として動脈血酸素飽和度（ＳｐＯ２）の変化を観測するなどの方法があるが、複数の光源を用意したり、圧力センサを用いたりするものであり、装置が大がかりとなる。
【００１２】
特許文献３には、自動車用のキーを収納するキーホルダに、アルコール濃度を検出する手段と、指紋を検出する手段を設け、指紋が登録データと一致し、且つ検出されたアルコール濃度が基準値より低い場合に、ロック機構が解除されてキーホルダ本体からキーが突出することが記載されている。
【００１３】
特許文献４には、エンジン始動制御装置に、運転者限定呼気捕集部にガスの熱伝導度、電気伝導度を基礎としてアルコールガスを検出し、スターターモーターの始動を制御することが記載されている。
【００１４】
しかしながら、特許文献３及び４は、微弱無線を利用したインテリジェントキーを用いた構成ではない。
【００１５】
【特許文献１】特開２０００−２１９０９２号公報
【特許文献２】特開２００３−１４６１０７号公報
【特許文献３】特開２００４−１６９５２４号公報
【特許文献４】特開平０８−１５０８５３号公報
【発明の開示】
【発明が解決しようとする課題】
【００１６】
このように、従来のインテリジェントキーシステムでは、飲酒運転を防止することはできず、また、従来の飲酒運転を防止する技術は、車載装置側に飲酒状態にあることを検知する構成が設けられていたり、キーとは別のキーホルダに設けられているものであり、インテリジェントキーと連動して飲酒運転を防止する構成ではなかった。
【００１７】
本発明は、上記実状に鑑みて為されたもので、インテリジェントキーと連動して、飲酒運転を効果的に防止することができるキーシステムを提供することを目的とする。
【課題を解決するための手段】
【００１８】
上記従来例の問題点を解決するための本発明は、自動車のエンジンの始動の指示としてキーＩＤを送信するインテリジェントキーと、キーＩＤを受信すると、内部に記憶するキーＩＤと照合して一致した場合に自動車のエンジンの始動を制御するインテリジェントキーユニットとを有するキーシステムであって、インテリジェントキーは、アルコール検知器を備え、アルコール検知器でアルコールが検知されない場合にはキーＩＤを送信し、アルコールが検知された場合にはキーＩＤを送信しないことを特徴としている。
【００１９】
また、本発明は、上記キーシステムにおいて、インテリジェントキーは、表示部を備え、アルコール検知器でアルコールが検知された場合に表示部に表示することを特徴としている。
【００２０】
また、本発明は、自動車のエンジンの始動の指示としてキーＩＤを送信するインテリジェントキーと、キーＩＤを受信し、内部に記憶するキーＩＤと照合して一致した場合に自動車のエンジンの始動を制御するインテリジェントキーユニットとを有するキーシステムであって、インテリジェントキーは、アルコール検知器を備え、検知結果の検知情報をインテリジェントキーユニットに送信し、インテリジェントキーユニットは、キーＩＤを照合して一致した場合でも、アルコールが検知された検知情報を受信した場合には、エンジンの始動を行わないよう制御することを特徴としている。
【００２１】
また、本発明は、上記キーシステムにおいて、インテリジェントキーユニットは、エンジンの始動を行わない制御として、ステアリングロックを解除する解除信号を出力しないよう制御することを特徴としている。
【００２２】
また、本発明は、上記キーシステムにおいて、インテリジェントキーユニットは、キーＩＤの照合を行い、一致した場合に運転者にアルコール検知を促す表示又は／及び音声出力を行い、アルコールが検知された検知情報を受信した場合には、アルコールが検出されて運転できない旨の表示又は／及び音声出力を行うことを特徴としている。
【００２３】
また、本発明は、キーＩＤのリクエスト信号を受信すると、自動車のエンジンの始動の指示としてキーＩＤを送信するインテリジェントキーと、リクエスト信号の送信を制御すると共に、キーＩＤを受信すると、内部に記憶するキーＩＤと照合して一致した場合に自動車のエンジンの始動を制御するインテリジェントキーユニットとを有するキーシステムであって、インテリジェントキーユニットは、アルコール検知器を備え、特定の操作が為されると、運転者にアルコール検知を促す表示又は／及び音声出力を行い、アルコールが検知された場合には、リクエスト信号を送信しないよう制御することを特徴としている。
【００２４】
また、本発明は、上記キーシステムにおいて、インテリジェントキーユニットは、アルコールが検知された場合には、アルコールが検出されて運転できない旨の表示又は／及び音声出力を行うことを特徴としている。
【発明の効果】
【００２５】
本発明によれば、自動車のエンジンの始動の指示としてキーＩＤを送信するインテリジェントキーと、キーＩＤを受信すると、内部に記憶するキーＩＤと照合して一致した場合に自動車のエンジンの始動を制御するインテリジェントキーユニットとを有するキーシステムであって、インテリジェントキーが、アルコール検知器を備え、アルコール検知器でアルコールが検知されない場合にはキーＩＤを送信し、アルコールが検知された場合にはキーＩＤを送信しないキーシステムとしているので、アルコールが検知された場合には、インテリジェントキーユニットにキーＩＤが送信されず、エンジンの始動を妨げることができ、飲酒運転を未然に防ぐことができる効果がある。
【００２６】
また、本発明によれば、インテリジェントキーに表示部を備え、アルコール検知器でアルコールが検知された場合に表示部に表示するキーシステムとしているので、自動車に乗らなくてもアルコールのチェックを行うことができ、利便性を向上させることができる効果がある。
【００２７】
また、本発明によれば、インテリジェントキーは、アルコール検知器を備え、検知結果の検知情報をインテリジェントキーユニットに送信し、インテリジェントキーユニットは、キーＩＤを照合して一致した場合でも、アルコールが検知された検知情報を受信した場合には、エンジンの始動を行わないよう制御するキーシステムとしているので、アルコールが検知された場合にはエンジン始動ができず、飲酒運転を未然に防ぐことができる効果がある。
【００２８】
また、本発明によれば、インテリジェントキーユニットは、エンジンの始動を行わない制御として、ステアリングロックを解除する解除信号を出力しないよう制御するとしているので、アルコールが検知されるとステアリングロックが解除されず、エンジンの始動を妨げることができ、飲酒運転を未然に防ぐことができる効果がある。
【００２９】
また、本発明によれば、インテリジェントキーユニットは、キーＩＤの照合を行い、一致した場合に運転者にアルコール検知を促す表示又は／及び音声出力を行い、アルコールが検知された検知情報を受信した場合には、アルコールが検出されて運転できない旨の表示又は／及び音声出力を行うキーシステムとしているので、運転者に操作方法や検知結果をわかりやすく報知して、操作性を向上させることができる効果がある。
【００３０】
また、本発明によれば、キーＩＤのリクエスト信号を受信すると、自動車のエンジンの始動の指示としてキーＩＤを送信するインテリジェントキーと、リクエスト信号の送信を制御すると共に、キーＩＤを受信すると、内部に記憶するキーＩＤと照合して一致した場合に自動車のエンジンの始動を制御するインテリジェントキーユニットとを有するキーシステムであって、インテリジェントキーユニットは、アルコール検知器を備え、特定の操作が為されると、運転者にアルコール検知を促す表示又は／及び音声出力を行い、アルコールが検知された場合には、リクエスト信号を送信しないよう制御するキーシステムとしているので、アルコールが検知されると、インテリジェントキーにキーＩＤのリクエスト信号が送信されないため、インテリジェントキーからキーＩＤが送信されず、エンジンの始動を妨げることができ、飲酒運転を未然に防ぐことができる効果がある。
【発明を実施するための最良の形態】
【００３１】
［発明の概要］
本発明の実施の形態について図面を参照しながら説明する。
本発明の実施の形態に係るキーシステムは、インテリジェントキーにアルコール検出部を設け、検出されたアルコール濃度が基準値を上回った場合には、キーＩＤ信号の送信を禁止するものであり、飲酒状態にある場合にはインテリジェントキーユニットにキーＩＤ信号を送信できないため、エンジンが始動できず、飲酒運転を防ぐことができるものである。
【００３２】
また、本発明の実施の形態に係るキーシステムは、車両に搭載されるインテリジェントキーユニットにアルコール検出部を設け、検出されたアルコール濃度が基準値を上回った場合には、キーＩＤ信号のリクエスト信号を送信しないものであり、飲酒状態にある場合にはインテリジェントキーユニットからキーＩＤ信号を要求するリクエスト信号を送信できず、インテリジェントキーからキーＩＤが送信されないため、エンジンが始動できず、飲酒運転を防ぐことができるものである。
【００３３】
［第１の実施の形態：図１］
第１の実施の形態に係るキーシステム（第１のキーシステム）について図１を用いて説明する。図１は、第１の実施の形態に係るキーシステムの構成ブロック図である。
図１に示すように、第１のキーシステムの構成は、インテリジェントキー１ａの構成及び動作が従来とは一部異なっているが、他の部分については図７に示した従来のキーシステムの構成及び動作と同様であり、説明は省略する。
【００３４】
第１のキーシステムは、インテリジェントキー１にアルコール検出部を設けている。そして、インテリジェントキー１が、インテリジェントキーユニット２からのリクエスト信号を受信した場合でも、アルコール検出部で基準値以上の濃度のアルコールが検出された場合には、キーＩＤ信号を出力しないものである。
キーＩＤを出力しないことにより、インテリジェントキーユニット２からステアリングロック解除の指示が出力されず、エンジン始動ができない。
【００３５】
［インテリジェントキーの構成：図２］
ここで、第１のキーシステムにおけるインテリジェントキー（第１のインテリジェントキー）１ａの構成について図２を用いて説明する。図２は、インテリジェントキー１ａの構成を示す構成ブロック図である。
図２に示すように、インテリジェントキー１ａは、メモリ１１と、制御部１２と、アルコール検出部１３と、通信部１４と、ＬＥＤ（Light Emitting Diode）１５と、アルコール検出スイッチを備えている。
【００３６】
各構成部分について説明する。
メモリ１１は、キーＩＤを記憶するものである。
制御部１２は、インテリジェントキー１ａにおける処理を行うものであり、インテリジェントキーユニット２との通信制御や、アルコール検出に伴う送信制御、及びＬＥＤ１５の点灯又は点滅／消灯を制御する。
【００３７】
アルコール検出部１３は、ユーザの呼気中のアルコール濃度の検出（アルコール検知）を行うものであり、予め設定された基準値を記憶している。そして、アルコール検出部１３は、アルコール検出スイッチが押下されている間に、制御部１２からの指示で検出動作を行い、検査対象の呼気のアルコール濃度を検出し、検出されたアルコール濃度が基準値以上か基準値未満かという検出結果を制御部１２に出力する。アルコール濃度が基準値以上の場合にはアルコールが検知されたとして検知情報「ＮＧ」を出力し、基準値未満の場合にはアルコールが検知されないとして検知情報「ＯＫ」を出力する。尚、アルコール検出部１３は、請求項に記載したアルコール検知器に相当している。
【００３８】
アルコール検出部１３のアルコール濃度を検出する機構は一般的に用いられているものでよいが、携帯用のキーに搭載するものであるから、できるだけ小型のものがよく、例えば、アルコールの濃度に応じた電気抵抗の変化を計測する半導体チップ等が望ましい。
【００３９】
通信部１４は、インテリジェントキーユニット２の室内アンテナ３との微弱無線通信を行う。具体的には、インテリジェントキーユニット２からリクエスト信号を受信して制御部１２に出力すると共に、制御部１２からの指示でキーＩＤ信号をインテリジェントキーユニット２宛に送信する。
【００４０】
ＬＥＤ１５は、ここでは図を簡単にするために１つしか示していないが、赤と緑のＬＥＤが設けられている。そして、制御部１２からの指示に従って赤又は緑が点灯（点滅）する。第１のシステムでは、呼気中のアルコール濃度が基準値以上であれば、赤が点灯又は点滅し、基準値未満であれば緑が点灯又は点滅するようになっている。尚、ＬＥＤ１５は、請求項に記載された表示部に相当する。
【００４１】
また、アルコール検出スイッチ１６は、ユーザがアルコール検出の指示を入力するものであり、アルコール検出スイッチ１６が押下されている間は、アルコール検出部１３が動作してアルコール検出を行うようになっている。
【００４２】
第１のキーシステムでは、アルコール検出部１３がインテリジェントキー１ａ側に設けられているために、ユーザは、車に乗る前にアルコールの検出を行うことができ、ＬＥＤ１５の点灯又は点滅によって運転可能か否かを知ることができるものである。
【００４３】
［第１のインテリジェントキーの動作］
第１のキーシステムにおけるインテリジェントキー１ａにおける動作について図２を用いて説明する。
第１のキーシステムでは、アルコール検出スイッチ１６が押下されると、制御部１２がアルコール検出部１３に指示を出力して、アルコール検出部１３が吹き込まれた呼気中のアルコール濃度を検出して基準値と比較し、基準値未満（ＯＫ）又は基準値以上（ＮＧ）を示すデータを制御部１２に出力する。
【００４４】
制御部１２は、インテリジェントキーユニット２からのリクエスト信号があった場合に、アルコール検出スイッチ１６が押下されている間にアルコール検出部１３から「ＯＫ」の入力があると、ユーザの通信部１４に、キーＩＤ信号をインテリジェントキーユニット２に送信するよう指示を出力すると共に、緑のＬＥＤ１５を点灯させる。
つまり、制御部１２は、リクエスト信号があり、ユーザがアルコール検出検査を行って検査結果がＯＫであった場合に、キーＩＤ信号を送信するよう制御するものである。
【００４５】
それ以外の場合、例えばアルコール検出スイッチ１６が押下されていない場合や、アルコール検出部１３から「ＮＧ」の入力があった場合や、呼気を吹き込まない場合には、制御部１２は、ユーザの通信部１４にキーＩＤ信号送信の指示を出力しない。
また、アルコール検出部１３から「ＮＧ」の入力があった場合には、制御部１２は、赤のＬＥＤ１５を点灯させる。
【００４６】
また、第１のキーシステムの特徴として、アルコール検出スイッチ１６を押下することによりアルコール検出検査を行って赤又は緑のＬＥＤ１５を点灯（又は点滅）させて結果を表示するようにしているので、ユーザは、車に乗り込まなくても例えば自宅でインテリジェントキー１ａを用いて呼気の検査を行って運転可能かどうかをチェックすることができ、事前に判断できるものである。
【００４７】
［第１のシステムの動作：図１］
次に、第１のキーシステムにおけるエンジン始動の動作について図１を用いて説明する。
第１のキーシステムは、インテリジェントキー１ａ以外の構成部分は図７に示した従来のキーシステムと同じであるため、動作も同じとなっている。
まず、従来と同様に、ユーザがＰ（パーキング）からＮ（ニュートラル）にしてフットブレーキ又はクラッチペダルを踏み、イグニッションノブ又はスイッチをオンにすると、インテリジェントキーユニット２が、室内アンテナ３を起動してリクエスト信号を送信する。
【００４８】
インテリジェントキー１ａの制御部１２は、リクエスト信号を受信し、アルコール検出スイッチ１６が押下されるとアルコール検出部１３にアルコール濃度を検出する指示を出力し、アルコール検出部１３から「ＯＫ」が入力されると、通信部１４に対してキーＩＤ信号をインテリジェントキーユニット２に送信するよう指示を出力し、通信部１４からキーＩＤ信号が送信される。
ユーザの操作としては、イグニッションノブをオンにして、インテリジェントキー１ａのアルコール検出スイッチ１６を押下しながら呼気を吹きかければよい。
【００４９】
インテリジェントキーユニット２は、インテリジェントキー１ａからキーＩＤを受信すると、図７で示した従来のシステムと同様に動作して、ステアリングロックコントロールユニット４３にステアリングロック解除の指示が出力されて、以降は通常の操作（図７を用いて説明した動作）と同様にエンジンが始動する。
【００５０】
一方、インテリジェントキー１ａの制御部１２は、アルコール検出スイッチ１６が押下されなかった場合や、アルコール検出部１３から「ＮＧ」が入力された場合には、通信部１４に対してキーＩＤの送信を指示しないので、インテリジェントキー１ａからキーＩＤが送出されない。
【００５１】
インテリジェントキーユニット２は、リクエスト信号に応答するキーＩＤ信号を一定時間受信しない場合には、エンジン始動の処理を終了し、エンジンは始動できない。
このようにして、第１のキーシステムでは、インテリジェントキー１ａを持った正規のユーザがアルコール検査を行って、結果が「ＯＫ」であった場合のみインテリジェントキー１ａからインテリジェントキーユニット２にキーＩＤが送信され、ステアリングロックが解除されてエンジンが始動可能となるものである。
【００５２】
［第１の実施の形態の効果］
第１のキーシステムによれば、インテリジェントキー１ａにアルコール検出部１３を備え、インテリジェントキー１ａの制御部１２が、インテリジェントキーユニット２からリクエスト信号を受信し、アルコール検出スイッチ１６が押下されてアルコール検出部１３から「ＯＫ」が入力されると、通信部１４に対してキーＩＤをインテリジェントキーユニット２に送信するよう指示を出力するようにしているので、アルコール検出検査を行っていない場合やアルコール検出結果が基準値以上であった場合にはインテリジェントキー１ａからインテリジェントキーユニット２にキーＩＤが送信されず、エンジン始動不可能となり、飲酒運転を未然に防ぐことができる効果がある。
【００５３】
また、第１のキーシステムによれば、インテリジェントキーユニット２からのリクエスト信号の有無にかかわらず、アルコール検出スイッチ１６が押下されると、アルコール検出部１３が検出動作を行って、「ＯＫ」なら緑、「ＮＧ」なら赤のＬＥＤ１５を点灯させるようにしているので、ユーザは、車に乗り込まなくても事前にチェックすることができ、利便性を向上させることができる効果がある。
【００５４】
［第２の実施の形態：図３］
次に本発明の第２の実施の形態に係るキーシステム（第２のキーシステム）について図３を用いて説明する。図３は、第２のキーシステムの構成ブロック図である。
第２のキーシステムは、第１のシステムのインテリジェントキー１ａの代わりにインテリジェントキー１ｂを設けたものであり、インテリジェントキーユニット２の動作が第１のシステムとは一部異なっている。
【００５５】
第２のキーシステムは、第１のシステムと同様にインテリジェントキー１ｂの側にアルコール検出部を備えた構成であるが、インテリジェントキーユニット２でエンジン始動可能か否かの判断を行うものであり、表示や音声のガイダンスを行ってユーザの操作をよりわかりやすくしたものである。
尚、インテリジェントキー１ｂとインテリジェントキーユニット２以外の部分の構成及び動作は第１のキーシステムと同様であるため説明は省略する。
【００５６】
［第２のキーシステムのインテリジェントキー］
第２のキーシステムにおけるインテリジェントキー（第２のインテリジェントキー）１ｂの構成は第１のキーシステムのインテリジェントキー１ａとほぼ同様であり、図示及び説明を省略するが、制御部の動作が一部異なっている。
第２のインテリジェントキー１ｂの制御部は、インテリジェントキーユニット２からのリクエスト信号があった場合には、従来のインテリジェントキー１と同様にキーＩＤ信号をインテリジェントキーユニット２に送信するよう指示を出力すると共に、アルコール検出が行われた場合には、アルコール検出結果をインテリジェントキーユニット２に送信するよう指示を出力する。
【００５７】
つまり、第２のインテリジェントキー１ｂでは、インテリジェントキーユニット２からのリクエスト信号があれば、無条件でキーＩＤを送信するが、ユーザがアルコール検出スイッチを押下して、アルコール検出検査を行った場合には、アルコール検出結果（ＯＫ又はＮＧ）をインテリジェントキーユニット２に送信するようになっている。
【００５８】
また、ここでは第２のインテリジェントキー１ｂも、第１のインテリジェントキー１ａと同様にＬＥＤを設けて、ユーザが車外でもアルコール検出結果を行って結果を知ることができるようにしているが、ＬＥＤを設けず、車内での表示によって結果を報知するだけとしても構わない。
【００５９】
［第２のキーシステムのインテリジェントキーユニット］
第２のキーシステムのインテリジェントキーユニット（第２のインテリジェントキーユニット）２の特徴は、リクエスト信号を送信後、インテリジェントキー１ｂからキーＩＤを受信して照合ＯＫだった場合に、車内の表示部（図示せず）に「アルコール検出検査を行ってください」といったガイダンスを表示し、インテリジェントキー１ｂからアルコール検出結果が送信されると、これを受信してアルコール検出結果がＯＫの場合にステアリングロックコントロールユニットにステアリングロック解除の指示を出力するものである。
その場合、アルコール検出結果に応じて「アルコールは検出されませんでした」又は「アルコールが検出されましたのでロック解除できません」といったメッセージを表示する。ガイダンスやメッセージは、音声出力で行っても構わないし、表示と音声の両方でもよい。
【００６０】
［第２のインテリジェントキーユニット２の動作：図４］
第２のインテリジェントキーユニット２の動作について図４を用いて説明する。図４は、第２のインテリジェントキーユニット２の動作を示すフローチャート図である。
図４に示すように、第２のインテリジェントキーユニット２は、図７に示した従来のキーシステムと同様に、ユーザがＰ（パーキング）からＮ（ニュートラル）にしてフットブレーキ又はクラッチペダルを踏み、イグニッションノブ又はスイッチをオンにすると、室内アンテナ３を起動してリクエスト信号を送信する（１００）。そして、インテリジェントキーユニット２は、インテリジェントキー１ｂからキーＩＤを受信すると、キーＩＤが予め登録されているＩＤと比較して、一致するかどうか（キーの照合がＯＫかどうか）を判断する（１００）。
【００６１】
キーＩＤの照合がＮＧであった場合、インテリジェントキーユニット２は、「キーのＩＤが違います」といったメッセージを表示出力し（１０６）、処理を終わる。つまり、キーＩＤの照合が為されなければアルコール検出さえも行わず、エンジン始動はできないものである。
【００６２】
処理１００でキーＩＤの照合がＯＫであった場合、インテリジェントキーユニット２は、表示部に「アルコール検出検査を行ってください」といったメッセージを表示し（１０２）、ユーザにアルコール検出を促す。
【００６３】
そして、子機（インテリジェントキー１ｂ）からアルコール検出結果を受信し（１０４）、アルコールが検出されたか否かを判断し（１１０）、検出されなかった場合（Ｎｏの場合）には、ステアリングロックコントロールユニット４３にステアリングロック解除の信号を出力する（１１２）。そして、ステアリングロック解除後、通常のエンジン始動動作に移行する。
【００６４】
また、処理１１０でアルコールが検出された場合（Ｙｅｓの場合）には、インテリジェントキーユニット２は、「アルコールが検出されましたのでロック解除できません」等のメッセージを出力し（１１４）、ユーザに運転できない旨を報知して処理を終わる。
このようにして第２のインテリジェントキーユニット２の動作が行われる。
【００６５】
［第２の実施の形態の効果］
第２のキーシステムによれば、インテリジェントキー１ｂにアルコール検出部１３を備え、インテリジェントキーユニット２が、インテリジェントキー１ｂからのキーＩＤが照合ＯＫであった場合に、アルコール検出結果を受信すると、アルコール検出結果が基準値未満を示す「ＯＫ」であればステアリングロック解除の指示を出力し、アルコール検出結果が基準値以上を示す「ＮＧ」であった場合にはステアリングロックを解除しないようにしているので、正当な使用者にのみアルコール検出検査を実施して、アルコール検出結果が基準値未満であった場合のみステアリングロックを解除することができ、キーＩＤが認証されない場合や、アルコールが検出された場合にはステアリングロックが解除されず、エンジン始動不可能となり、飲酒運転を未然に防ぐことができる効果がある。
【００６６】
また、第２のキーシステムによれば、インテリジェントキーユニット２が、キーＩＤの照合に失敗した場合にはその旨をメッセージで表示し、アルコール検出検査の前には検査を促す表示を出力し、検査結果を受信すると結果をメッセージで表示出力するようにしているので、ユーザにとって操作や検査結果が分かりやすく、操作性を向上できる効果がある。
【００６７】
［第３の実施の形態：図５］
次に、第３の実施の形態に係るキーシステム（第３のキーシステム）について図５を用いて説明する。図５は、第３のキーシステムの構成ブロック図である。
第３のキーシステムは、図５に示すように、車載装置の側にアルコールを検出するアルコール検知器９を設けている点が第１，第２のキーシステムとは異なっている。また、インテリジェントキーユニット２における処理が第１，第２のキーシステムとは一部異なっている。その他の部分の構成及び動作は、従来と同様であり、インテリジェントキー１も図７に示した従来のインテリジェントキー１と同様の構成及び動作である。
【００６８】
アルコール検知器９は、吹き込まれた呼気中のアルコール濃度を検出して、検出結果をインテリジェントキーユニット２に出力するものであり、車載であるため検出機構は一般的に知られているものでよい。
【００６９】
［第３のキーシステムのインテリジェントキーユニット］
第３のキーシステムのインテリジェントキーユニット（第３のインテリジェントキーユニット）２の特徴は、エンジン始動には必ずインテリジェントキー１のキーＩＤの照合が必要である点を利用したものであり、アルコールが検出された場合には、キーＩＤを要求するリクエスト信号を出力しないようにして、インテリジェントキー１にキーＩＤ信号の送信動作を行わせないようにしている点である。
【００７０】
具体的には、インテリジェントキーユニット２は、ユーザがＰ（パーキング）からＮ（ニュートラル）にしてフットブレーキ又はクラッチペダルを踏み、イグニッションノブ又はスイッチをオンにすると、まずアルコール検知を促す表示を行い、アルコール検知器９からのアルコール検出結果が基準値未満を示す「ＯＫ」であった場合（アルコールが検知されなかった場合）に、インテリジェントキー１にキーＩＤのリクエスト信号を送信し、それ以外の場合にはリクエスト信号を送信しないものである。
【００７１】
［第３のインテリジェントキーユニットの動作：図６］
第３のインテリジェントキーユニット２の動作について図６を用いて説明する。図６は、第３のインテリジェントキーユニット２の動作を示すフローチャート図である。
図６に示すように、第３のインテリジェントキーユニット２は、ユーザがＰ（パーキング）からＮ（ニュートラル）にしてフットブレーキ又はクラッチペダルを踏み、イグニッションノブ又はスイッチをオンにすると（２００）、「アルコール検出検査を行ってください」等のアルコール検出（アルコール検知）を促す表示を表示部（図示せず）に出力する（２０２）。表示に限らず音声でも構わないし、表示と音声の両方でもよい。
【００７２】
インテリジェントキーユニット２は、アルコール検出器９からのアルコール検出結果の入力を待ち、アルコール検知が行われてアルコール検出結果が入力されたかどうかを判断する（２０４）。
【００７３】
そして、処理２０４でアルコール検知が行われない場合には、インテリジェントキーユニット２は、メッセージ出力から予め設定された一定時間以上経過したか否かを判断し（２１０）、経過していない場合には処理２０４に戻ってアルコール検出結果の入力を待ち受ける。
【００７４】
また、処理２１０で、一定時間以上経過した場合には、インテリジェントキーユニット２は、「アルコール検出検査が行われないので運転はできません」等のメッセージを表示して（２１４）、アルコール検知を行わないためエンジン始動は不可能であることを報知して処理を終わる。
【００７５】
また、処理２０４でアルコール検知が行われてアルコール検出結果が入力された場合、インテリジェントキーユニット２は、アルコールが検出されたかどうかを判断し（２１２）、アルコールが検出されていなければ（Ｎｏの場合）、室内アンテナ３を起動してリクエスト信号を出力する（２２２）。
【００７６】
また、処理２１２でアルコールが検出されていた場合には（Ｙｅｓの場合）、インテリジェントキーユニット２は、「アルコールが検出されましたので運転はできません」といったメッセージを表示出力し、処理を終わる。
このようにして第３のインテリジェントキーユニット２における動作が行われるものである。
【００７７】
［第３の実施の形態の効果］
第３のキーシステムによれば、車載装置側にアルコール検知器９を設け、インテリジェントキーユニット２が、イグニッションノブ又はスイッチがオンになった場合に、アルコールの検出を促す表示を行って、アルコール検知器９から一定時間以内にアルコールが検出されなかった旨の検出結果が入力された場合に、インテリジェントキー１にリクエスト信号を出力するようにしているので、エンジン始動時にフットブレーキを踏む動作と同じレベルでアルコール検知を行い、アルコールが検知されたら、リクエスト信号を送信しないことによりインテリジェントキー１からキーＩＤが送信されないため、インテリジェントキーユニット２においてステアリングロック解除信号が出力されずエンジン始動不可能となり、飲酒運転を未然に防ぐことができる効果がある。
【００７８】
また、第３のキーシステムによれば、車載装置側にアルコール検知器９を設けているので、インテリジェントキー１の構成は従来と同様でよく、低コストで実現できる効果がある。
【００７９】
また、第３のキーシステムによれば、インテリジェントキーを用いたエンジンの始動にはキーＩＤの照合が不可欠であることを利用して、簡単な処理でエンジンを始動させないよう制御することができる効果がある。
【産業上の利用可能性】
【００８０】
本発明は、インテリジェントキーと連動して飲酒運転を防止することができるキーシステムに適している。
【図面の簡単な説明】
【００８１】
【図１】本発明の第１の実施の形態に係るキーシステム（第１のキーシステム）の構成ブロック図である。
【図２】インテリジェントキー１ａの構成を示す構成ブロック図である。
【図３】第２のキーシステムの構成ブロック図である。
【図４】第２のインテリジェントキーユニット２の動作を示すフローチャート図である。
【図５】第３のキーシステムの構成ブロック図である。
【図６】第３のインテリジェントキーユニット２の動作を示すフローチャート図である。
【図７】従来のキーシステムの構成及びエンジン始動時の動作を示す説明図である。
【符号の説明】
【００８２】
１…インテリジェントキー、  ２…インテリジェントキーユニット、  ３…室内アンテナ、  ４１…プッシュスイッチ、  ４２…キースイッチ、  ４３…ステアリングロックユニット、  ５…ＢＣＭ、  ６…コンビネーションメーター、  ７…IPDN/ ER、  ７１…ＣＰＵ、  ７２…スターターリレー
【図１】
2008155848.tif 000003
【図２】
2008155848.tif 000004
【図３】
2008155848.tif 000005
【図４】
2008155848.tif 000006
【図５】
2008155848.tif 000007
【図６】
2008155848.tif 000008
【図７】
2008155848.tif 000009